(57)【特許請求の範囲】
【請求項１】
本体筐体と、
この本体筐体の前面に取付けられて意匠部となる前面側パネルと、
この前面側パネルに回動自在に支持された吸込グリルと、
前記前面側パネルにはめ込まれ、前記吸込グリルを回動自在に保持する保持具と、を備え、前記吸込グリルは前記保持具に着脱自在に保持され、
前記吸込グリルに側面部に軸と掛かり部を有する回動用アームを設け、前記保持具に前記掛かり部を保持する掛かり部保持部と軸保持部を設け、前記前面側パネルに軸保持具を設け、前記保持具の軸保持部と前記前面側パネルの軸保持具とで前記吸込グリルに軸を回動自在に支持し、所定の斜めの位置に保持できる位置関係にしたことを特徴とする空気調和機の室内ユニット。
【請求項２】
前記吸込グリルを前方に向けて引くと前記軸保持部が変形することにより前記回動用アームの軸が前記前面側パネルの軸保持具を乗り越えて取り外すことができる構成としたことを特徴とする請求項１記載の空気調和機の室内ユニット。
【請求項３】
前記吸込グリルを水平方向に前記軸を前記軸保持部と前記軸保持具との間に挿入し、この状態で前記吸込グリルの下端部を下方に移動させるようにして回動させると、前記軸が前記軸保持部と前記軸保持具とに支持されて前記軸を中心に回動し、さらに前記吸込グリルを下方向を向くまで回動させて前記吸込グリルを取り付ける構成としたことを特徴とする請求項１記載の空気調和機の室内ユニット。
【請求項４】
前記前面側パネルは前記保持具を固定する固定爪を有し、前記保持具を前記固定爪によって前記前面側パネルへ左右に摺動可能に固定したことを特徴とする請求項１記載の空気調和機の室内ユニット。
【請求項５】
前記保持具を前記吸込グリルと異なる材料で構成したことを特徴とする請求項１記載の空気調和機の室内ユニット。
【請求項６】
前記保持具を耐摩耗性があり、摩擦係数の小さい材料で構成したことを特徴とする請求項５記載の空気調和機の室内ユニット。
【請求項７】
本体筐体と、
この本体筐体の前面に取付けられて意匠部となる前面側パネルと、
この前面側パネルに回動自在に支持された吸込グリルと、
前記前面側パネルにはめ込まれ、前記吸込グリルを回動自在に保持する保持具と、を備え、前記吸込グリルは前記保持具に着脱自在に保持され、
前記吸込グリルに側面部に軸と掛かり部を有する回動用アームを設け、前記保持具に前記掛かり部を保持する掛かり部保持部と軸受部を有する軸保持部とを設け、前記保持具に前記軸が前記軸保持部の軸受部に支持されて軸を回動自在に支持し、所定の斜めの位置に保持できる位置関係にしたことを特徴とする空気調和機の室内ユニット。
【請求項８】
前記保持具の掛かり部保持部の動きを、該保持具の掛かり部保持部先端に前記前面側パネルが当たることにより規制する拘束リブを設けたことを特徴とする請求項７記載の空気調和機の室内ユニット。
【発明の詳細な説明】
【０００１】
【発明の属する技術分野】
この発明は、前面側パネルに吸込グリルを回動自在に取付けた空気調和機の室内ユニットに関するものである。
【０００２】
【従来の技術】
図７〜９は、例えば特開平５−１５７２７１号公報に示された従来の空気調和機の室内ユニットの吸込グリルの取付け構造を示す図であり、図において、１４は空気調和機の室内ユニット本体の前面を覆う前面側パネル、１５は前面側パネル１４に回動自在に取付けられる吸込グリル、１６は吸込グリル１４の背面上側に左右一対で形成した回動用アーム、１７は回動用アーム１６に形成した軸、１８は前面側パネル１４に設けられている軸１７のはめ込み穴、１９は保持具、２０は前面側パネル１４に形成したはめあい部、２１は保持具１９の突起、２２は保持具１９の溝、２３は溝２２の側縁、２４は回動用アームに形成した角穴である。
【０００３】
次に動作について説明する。
図８のように保持具１９の突起２１を角穴２４にはめ込み、軸１７ははめ込み穴１８に嵌合される。このように前面側パネル１４に取付けられた吸込グリル１５を所定の斜めの位置まで回動させると、はめあい部２０が溝の側縁２３を乗り越え、溝２２にはまり込むことにより吸込グリル１５は図９のように所定の斜めの位置で保持できる。
【０００４】
【発明が解決しようとする課題】
従来の空気調和機の室内ユニットは以上のように構成されているため、吸込グリル１５を斜めの位置に保持する力に影響する前面側パネル１４と吸込グリル１５の寸法精度を高く保つ必要があると言う課題がある。
【０００５】
また、斜めの位置で保持する力を調整する際にそれらを成型する大きな型を取り扱う必要があり、調整作業が大がかりになるという課題がある。
【０００６】
また、軸１７とはめ込み穴１８を摺動性を考慮した材質で構成していないため動きが渋くなり、その対策として潤滑剤を塗る必要があり、リサイクル性が悪くなるという課題がある。
【０００７】
また、吸込グリル１５を容易に着脱できなく分解性に悪いので、リサイクル性が悪くなるという課題がある。
【０００８】
この発明は、かかる問題点を解決するためになされたもので、吸込グリルを斜めの位置に保持する力もしくは着脱する力を前面側パネルと吸込グリルの寸法精度に依存しない構造の、また吸込グリルを斜めの位置に保持する力もしくは着脱する力の調整作業の容易化、吸込グリルの着脱の容易化、リサイクル性を向上させることのできる構造の空気調和機の室内ユニットを得ることを目的とする。
【０００９】
【課題を解決するための手段】
この発明に係る空気調和機の室内ユニットは、本体筐体と、この本体筐体の前面に取付けられて意匠部となる前面側パネルと、この前面側パネルに回動自在に支持された吸込グリルと、前面側パネルにはめ込まれた吸込グリルを回動自在に保持する保持具と、を備え、吸込グリルは保持具に着脱自在に保持されるものである。
【００１０】
また、吸込グリルに側面部に軸と掛かり部を有する回動用アームを設け、保持具に掛かり部を保持する掛かり部保持部と軸保持部を設け、前面側パネルに軸保持具を設け、保持具の軸保持部と前面側パネルの軸保持具とで吸込グリルに軸を回動自在に支持し、所定の斜めの位置に保持できる位置関係にしたものである。
【００１１】
また、吸込グリルを前方に向けて引くと軸保持部が変形することにより回動用アームの軸が前面側パネルの軸保持具を乗り越えて取り外すことができる構成としたものである。
【００１２】
また、吸込グリルを水平方向に軸を軸保持部と軸保持具との間に挿入し、この状態で吸込グリルの下端部を下方に移動させるようにして回動させると、軸が軸保持部と軸保持具とに支持されて軸を中心に回動し、さらに吸込グリルを下方向を向くまで回動させて吸込グリルを取り付ける構成としたものである。
【００１３】
また、保持具を前面側パネルへ左右に摺動可能に固定したものである。
【００１４】
また、保持具を吸込グリルと異なる材料で構成したものである。
【００１５】
また、保持具を耐摩耗性があり、摩擦係数の小さい材料で構成したものである。
【００１６】
また、吸込グリルに側面部に軸と掛かり部を有する回動用アームを設け、保持具に掛かり部を保持する掛かり部保持部と軸受部を有する軸保持部とを設け、保持具に軸が軸保持部の軸受部に支持されて軸を回動自在に支持し、所定の斜めの位置に保持できる位置関係にしたものである。
【００１７】
また、保持具の掛かり部保持部の動きを、保持具の掛かり部保持部先端に前面側パネルが当たることにより規制する拘束リブを設けたものである。
【００１８】
【発明の実施の形態】
実施の形態１．
以下、この発明の実施の形態１を図面を参照して説明する。
図１〜４は実施の形態１を示す図で、図１は空気調和機の室内ユニット本体の斜視図、図２は吸込グリルを回動させる状態を示す、空気調和機の室内ユニット本体の斜視図と側面図、図３は吸込グリルを前面側パネルに取付けた状態を示す要部側面図、図４は吸込グリルを斜め下方に回動させ、前面側パネルに着脱する状態を示す要部側面図と要部正面図と要部投影図である。
図１，２において、１は空気調和機の室内ユニット本体の前面を覆う前面側パネル、２は前面側パネル１に回動自在に取付けられる吸込グリルである。
【００１９】
図３，４において、１は前面側パネル、２は吸込グリル、３は吸込グリル２の背面上側に左右一対で形成した回動用アーム、４は前面側パネルにはめ込まれた保持具、５は回動用アーム３に形成した保持具４にはまる軸、６は回動用アーム３の側面部に形成した掛かり部、７は回動用アーム３の側面に位置して掛かり部６を保持する保持具４に形成した掛かり部保持部、８は軸５の下部に位置して軸５を前面方向に保持する保持具４に形成した軸保持部、９は軸５の上部に位置して軸５を保持する前面側パネルに形成した軸保持具、１０は保持具４を固定する前面側パネルに形成した固定爪である。
なお、掛かり部６と掛かり部保持部７は両側面、片側面でもどちらでもよい。
【００２０】
次に動作について説明する。
空気調和機の室内ユニットは図１のように示され、図１では吸込グリル２は閉じている。図２では吸込グリル２を回動させる状態を示している。図３から図４では回動用アーム３と、回動用アーム３の軸５付近を拡大して示している。軸５は、図３に示すように軸保持部８と、前面側パネル１の軸保持具９に保持されている。
【００２１】
吸込グリル２の下端部を斜め上方に移動させるようにすると、軸５が軸保持部８に支持されながら軸５を中心に回動する。この時所定の斜め方向まで回動させると、図４に示すように回動用アーム側面掛かり部６が掛かり部保持部７に掛かるため、吸込グリル２は斜め下方を向いたまま保持される。この時の保持力の調整は、掛かり部保持部７の形状により調整できる。保持具４を成型する型は小さいため、調整作業が楽に出来る。
【００２２】
さらに、吸込グリル２を前方に向けて引くと軸保持部８が変形することにより軸５が軸保持具９を乗り越え、吸込グリル２を前面側パネル１から取外すことができる。この時の保持力の調整は、軸保持部８の形状により調整できる。保持具８を成型する型は小さいため、調整作業が楽に出来る。
【００２３】
逆に吸込グリル２を前面側パネル１へ取付ける場合は、取外しと逆の順序で行う。吸込グリル２を水平方向に軸５を軸保持部８と軸保持具９の間に挿入する。この状態で吸込グリル２の下端部を下方に移動させるようにして回動させると、軸５が軸保持部８に支持されて軸５を中心に回動し、さらに吸込グリル２を下方向を向くまで回動させると吸込グリル２の取付けが終了する。
【００２４】
保持具４は固定爪１０によって前面側パネル１へ左右に摺動可能に固定したことにより、前面側パネル１と吸い込みグリルの形状精度が多少ばらついた場合でも、保持力への影響を少なくすることが出来る。
【００２５】
保持具４は吸込グリル２と異なる材料、特に耐摩耗性と摩擦係数の少ない材料を使用することにより、潤滑剤無しで摺動部の動きをスムーズにすることが出来るため、リサイクルの際に脱脂などの前処理を無しで再利用しやすくなる。
また、前面側パネル１と吸込グリル２にリサイクルに適した素材や、リサイクル材を使用しやすくなる。
【００２６】
実施の形態２．
実施の形態１では、吸込グリル２を斜め下方を向いたまま保持する力を掛かり部保持部７で調整し、軸５を軸保持部８と軸保持具９で保持しているが、必ずしもこの方法による必要はない。
図５，６は実施の形態２を示す図で、図５は吸込グリルを前面側パネルに取付けた状態を示す要部側面図、図６は吸込グリルを前面側パネルに取付けた状態を示す要部側面図である。
図において、１は前面側パネル、２は吸込グリル、３は吸込グリル２の背面上側に左右一対で形成した回動用アーム、４は前面側パネルにはめ込まれた保持具、５は回動用アーム３に形成した保持具４にはまる軸、６は回動用アーム３の側面部に形成した掛かり部、７は回動用アーム３の側面に位置して掛かり部６を保持する保持具４に形成した掛かり部保持部、８は軸５の下部に位置して軸５を前面方向に保持する保持具４に形成した軸保持部、１０は保持具４を固定する前面側パネル１に形成した固定爪、１１は掛かり部保持部７の先端に設けた拘束リブ、１２は前面側パネル１に形成した拘束リブ１１が当たる端面、１３は軸保持部８に設けた軸受部である。
なお、掛かり部６と掛かり部保持部７は両側面、片側面でもどちらでもよい。
【００２７】
図５の状態からグリル２の下端部を斜め上方に移動させるようにすると、軸５が軸保持部８の軸受部１３に支持されて軸５を中心に回動する。この時所定の斜め方向まで回動させると、図６のように回動用アーム側面掛かり部６が掛かり部保持部７に掛かるため、吸込グリル２は斜め下方を向いたまま保持される。この時に掛かり部保持部７が変形するが、拘束リブ１１が端面１２に当たることにより、掛かり部保持部７の動きが拘束され、保持力を発生する。この時の保持力の調整は、拘束リブ１１の形状により調整できる。保持具４を成型する型は小さいため、調整作業が楽に出来る。また、保持力の調整は、拘束リブ１１の形状により調整するため、部品の小型化を図ることができる。
【００２８】
さらに、吸込グリル２を前方に向けて引くと軸保持部８が変形すると同時に、軸５が軸受部１３を乗り越え、吸込グリル２を前面側パネル１から取外すことができる。この時の保持力の調整は、軸保持部８の形状により調整できる。軸保持部４を成型する型は小さいため、調整作業が楽に出来る。
【００２９】
掛かり部保持部７は、さらに、吸込グリル２を前方に向けて引くと軸保持部８が変形すると同時に、軸５が軸受部１３を乗り越え、吸込グリル２を前面側パネル１から取外すことができる。この時の保持力の調整は、軸保持部８の形状により調整できる。軸保持部４を成型する型は小さいため、調整作業が楽に出来る。
【００３０】
【発明の効果】
この発明に係る空気調和機の室内ユニットは、前面側パネルと吸込グリルの寸法精度に依存しない構造、斜めの位置に保持する力もしくは着脱する力の調整作業の容易化、吸込グリルの着脱の容易化、リサイクル性を向上させることのできる構造が得られる。
【００３１】
また、保持具を前面側パネルへ左右に摺動可能に固定したので、前面側パネルと吸い込みグリルの形状精度が多少ばらついた場合でも、保持力への影響を少なくすることが出来る。
【００３２】
また、保持具を吸込グリルと異なる材料で構成したことにより、前面側パネルと吸込グリルにリサイクルに適した素材や、リサイクル材を使用しやすくなる。
【００３３】
また、保持具を耐摩耗性があり、摩擦係数の小さい材料で構成したことにより、潤滑剤無しで摺動部の動きをスムーズにすることが出来るため、リサイクルの際に脱脂などの前処理を無しで再利用しやすくなる。
【図面の簡単な説明】
【図１】  実施の形態１を示す図で、空気調和機の室内ユニット本体の斜視図である。
【図２】  実施の形態１を示す図で、吸込グリルを回動させる状態を示す空気調和機の室内ユニット本体の斜視図と側面図である。
【図３】  実施の形態１を示す図で、吸込グリルを前面側パネルに取付けた状態を示す要部側面図である。
【図４】  実施の形態１を示す図で、吸込グリルを斜め下方に回動させ、前面側パネルに着脱する状態を示す要部側面図と要部正面図と要部投影図である。
【図５】  実施の形態２を示す図で、吸込グリルを前面側パネルに取付けた状態を示す要部側面図である。
【図６】  実施の形態２を示す図で、吸込グリルを斜め下方に回動させ、前面側パネルに着脱する状態を示す要部側面図と要部正面図と要部平面図である。
【図７】  従来の空気調和機における吸込グリルを前面側パネルに取付けた状態を示す要部平面図である。
【図８】  従来の空気調和機における吸込グリルの要部斜視図である。
【図９】  従来の空気調和機における吸込グリルを斜めの位置で保持した状態を示す要部斜視図である。
【符号の説明】
１  前面側パネル、２  吸込グリル、３  回動用アーム、４  保持具、５  軸、６  回動用アーム側面掛かり部、７  掛かり部保持部、８  軸保持部、９  軸保持具、１０  固定爪、１１  拘束リブ、１２  端面、１３  軸受部。
【図１】
0004043661.tif 000002
【図２】
0004043661.tif 000003
【図３】
0004043661.tif 000004
【図４】
0004043661.tif 000005
【図５】
0004043661.tif 000006
【図６】
0004043661.tif 000007
【図７】
0004043661.tif 000008
【図８】
0004043661.tif 000009
【図９】
0004043661.tif 000010